(57)【特許請求の範囲】
【請求項１】
情報処理装置であって、
ユーザーからの操作を検出する操作部と、
前記操作時の前記情報処理装置の姿勢を判断する姿勢判断部と、
前記操作時の前記情報処理装置の姿勢に応じて異なる画像形成装置を、画像形成指示を送信する対象として決定する操作判断部
とを具備し、
前記操作判断部は、前記操作の終了後、前記情報処理装置が前記操作時の姿勢と同じ姿勢を保ちながら一定時間が経過するごとに画像形成数を増加させる
情報処理装置。
【請求項２】
請求項１に記載の情報処理装置であって、
前記姿勢判断部は、前記操作時の前記情報処理装置の水平面に対する傾斜角を判断し、
前記操作判断部は、
前記操作時の前記情報処理装置の水平面に対する傾斜角が閾値以上のとき、前記情報処理装置のより近くにある画像形成装置を、前記画像形成指示を送信する対象として決定し、
前記操作時の前記情報処理装置の前記水平面に対する前記傾斜角が前記閾値未満のとき、前記情報処理装置のより遠くにある画像形成装置を、前記画像形成指示を送信する対象として決定する
情報処理装置。
【請求項３】
請求項１又は２に記載の情報処理装置であって、
前記画像形成指示を送信する対象の候補となる１以上の画像形成装置を、前記情報処理装置の方位及び前記情報処理装置からの距離に基づき選択する候補画像形成装置選択部
とを具備する情報処理装置。
【請求項４】
請求項３に記載の情報処理装置であって、
前記候補画像形成装置選択部は、前記情報処理装置を始点として前記情報処理装置の方位を示す半直線を中心とした水平面上の特定の角度以内に存在する画像形成装置を、前記画像形成指示を送信する対象の候補として選択する
情報処理装置。
【請求項５】
請求項３又は４に記載の情報処理装置であって、
前記候補画像形成装置選択部は、前記情報処理装置から特定距離範囲内に存在する画像形成装置を、前記画像形成指示を送信する対象の候補として選択する
情報処理装置
【請求項６】
請求項３乃至５のいずれか一項に記載の情報処理装置であって、
前記候補画像形成装置選択部は、選択された前記画像形成装置のうち、前記情報処理装置により近い２台の画像形成装置を、前記画像形成指示を送信する対象の候補として選択する
情報処理装置。
【請求項７】
情報処理装置で実行される情報処理プログラムであって、
ユーザーからの操作を検出する操作部、
前記操作時の前記情報処理装置の姿勢を判断する姿勢判断部、及び
前記操作時の前記情報処理装置の姿勢に応じて異なる画像形成装置を、画像形成指示を送信する対象として決定する操作判断部
として前記情報処理装置を機能させ、
前記操作判断部は、前記操作の終了後、前記情報処理装置が前記操作時の姿勢と同じ姿勢を保ちながら一定時間が経過するごとに画像形成数を増加させる
情報処理プログラム。
【請求項８】
請求項７に記載の情報処理プログラムであって、さらに、
前記画像形成指示を送信する対象の候補となる１以上の画像形成装置を、前記情報処理装置の方位及び前記情報処理装置からの距離に基づき選択する候補画像形成装置選択部
として前記情報処理装置を機能させる情報処理プログラム。
【発明の詳細な説明】
【技術分野】
【０００１】
本技術は、画像形成装置に画像形成指示を出力する情報処理装置及び情報処理プログラムに関する。
【背景技術】
【０００２】
複数の画像形成装置（例えば、Multifunction Peripheral。以下単に「ＭＦＰ」と称する。）が存在する環境において、任意の１つのＭＦＰに画像形成指示を出力することが可能な情報処理装置（典型的には、スマートフォンやタブレット型パーソナルコンピューター等の携帯情報端末）が知られている。
【０００３】
特許文献１によれば、携帯情報端末は、タッチパネルの画面上に、複数の画像形成装置の位置にそれぞれ対応付けられた方向を表示する。携帯情報端末は、タッチパネルの画面上での前記方向に沿ったフリック操作を検出したら、前記方向に対応する画像形成装置に対して、画像形成指示を送信する（例えば、請求項１参照）。
【０００４】
特許文献２によれば、携帯情報端末の画面に、自端末を中心として、周辺に存在する複数の端末を表す画像が、実際の位置関係を模した位置関係で表示される。ユーザーは携帯情報端末のタッチパネルを指で弾く（フリック操作）ことで、通信相手の端末を選択する。タッチパネル上で指を弾くような操作がなされた場合、携帯情報端末は、その操作により示される方向を認識すると同時に、その操作の強さ（弾く速さ）を求め、当該強さに応じた距離だけ自端末から離れている周辺端末を、データ送信先の相手先端末として特定する（例えば、００４９段落参照）。
【０００５】
ＭＦＰと通信可能な携帯情報端末は、特許文献３及び特許文献４にも記載される。
【先行技術文献】
【特許文献】
【０００６】
【特許文献１】特開２０１３−１６４７６１号公報
【特許文献２】特開２０１１−０９６１０２号公報
【特許文献３】特開２０１３−１５７８４８号公報
【特許文献４】特開２０１４−０３５７２３号公報
【発明の概要】
【発明が解決しようとする課題】
【０００７】
特許文献１においては、携帯情報端末から一直線上に複数のＭＦＰが並んでいる場合、携帯情報端末と複数のＭＦＰとの現実の位置関係と、ディスプレイに表示された複数のＭＦＰの位置関係とが異なるおそれがある。このため、ユーザーが現実のＭＦＰを目視しながら現実のＭＦＰの方向にフリック操作を行うと、携帯情報端末が、ユーザーが意図したＭＦＰとは異なるＭＦＰに画像形成指示を出力するおそれがある。すなわち、ユーザーにとっては、直感的な操作が阻害される。また、特許文献１においては、携帯情報端末は、フリック操作の回数に応じて、印刷ジョブの送信回数（印刷部数）等をＭＦＰに指示する（例えば、００１６段落参照）。部数が多数の場合等、タッチパネル上での操作ミスが誘発されたり、ユーザーの手指が疲労したりするおそれがある。
【０００８】
特許文献２においては、携帯情報端末を持つユーザーの背後に存在する端末とこの携帯情報端末とが通信する可能性は、実際には低いにも拘らず、ユーザーの背後に存在する複数の端末を表す画像までもが表示される。その結果、画面が必要以上に煩雑になり、結果的に、タッチパネル上での操作ミスが誘発されるおそれがある。
【０００９】
以上のような事情に鑑み、本技術の目的は、より簡便かつ直感的な操作で画像形成装置に画像形成指示を出力する情報処理装置及び情報処理プログラムを提供することにある。
【課題を解決するための手段】
【００１０】
上記目的を達成するため、本発明の一形態に係る情報処理装置は、ユーザーからの操作を検出する操作部と、前記操作時の前記情報処理装置の姿勢を判断する姿勢判断部と、前記操作時の前記情報処理装置の姿勢に応じて異なる画像形成装置を、画像形成指示を送信する対象として決定する操作判断部とを具備する。
【００１１】
これにより、ユーザーは操作時の前記情報処理装置の姿勢を変えることで意図する画像形成装置を選択できるので、ユーザーにとっては直感的かつ容易に画像形成装置を選択できる。
【００１２】
前記姿勢判断部は、前記操作時の前記情報処理装置の水平面に対する傾斜角を判断し、前記操作判断部は、前記操作時の前記情報処理装置の水平面に対する傾斜角が閾値以上のとき、前記情報処理装置のより近くにある画像形成装置を、前記画像形成指示を送信する対象として決定し、前記操作時の前記情報処理装置の前記水平面に対する前記傾斜角が前記閾値未満のとき、前記情報処理装置のより遠くにある画像形成装置を、前記画像形成指示を送信する対象として決定する。
【００１３】
これにより、ユーザーは操作時の前記情報処理装置の水平面に対する傾斜角を変えることで意図する画像形成装置を選択できるので、ユーザーにとっては直感的かつ容易に画像形成装置を選択できる。
【００１４】
前記操作判断部は、前記操作の終了後、前記情報処理装置が前記操作時の姿勢と同じ姿勢を保ちながら一定時間が経過するごとに画像形成数を増加させる。
【００１５】
これにより、ユーザーが所望する部数を操作の回数に基づき入力する技術に比較して、とくに部数が大きい場合に、操作ミスが減少しうるとともに、ユーザーの手指が疲労するおそれが低下しうる上、直感的である。
【００１６】
情報処理装置は、前記画像形成指示を送信する対象の候補となる１以上の画像形成装置を、前記情報処理装置の方位及び前記情報処理装置からの距離に基づき選択する候補画像形成装置選択部をさらに具備する。
【００１７】
これにより、画像形成指示を送信する対象としてユーザーが選択する可能性の高い画像形成装置のみが、画像形成指示を送信する対象の候補として選択される。言い換えれば、画像形成指示を送信する対象としてユーザーが選択する可能性の低い画像形成装置（例えば、情報処理装置を持つユーザーの背後等に存在する画像形成装置）が、画像形成指示を送信する対象の候補から除外される。
【００１８】
前記候補画像形成装置選択部は、前記情報処理装置を始点として前記情報処理装置の方位を示す半直線を中心とした水平面上の特定の角度以内に存在する画像形成装置を、前記画像形成指示を送信する対象の候補として選択する。
前記候補画像形成装置選択部は、前記情報処理装置から特定距離範囲内に存在する画像形成装置を、前記画像形成指示を送信する対象の候補として選択する。
前記候補画像形成装置選択部は、選択された前記画像形成装置のうち、前記携帯情報端末により近い２台の画像形成装置を、前記画像形成指示を送信する対象の候補として選択する。
【００１９】
上記目的を達成するため、本発明の一形態に係る情報処理プログラムは、情報処理装置で実行される情報処理プログラムであって、ユーザーからの操作を検出する操作部、前記操作時の前記情報処理装置の姿勢を判断する姿勢判断部、及び前記操作時の前記情報処理装置の姿勢に応じて異なる画像形成装置を、画像形成指示を送信する対象として決定する操作判断部として前記情報処理装置を機能させる。
【発明の効果】
【００２０】
本技術によれば、より簡便かつ直感的な操作で画像形成装置に画像形成指示を出力する情報処理装置及び情報処理プログラムが提供される。
なお、ここに記載された効果は必ずしも限定されるものではなく、本開示中に記載されたいずれかの効果であってもよい。
【図面の簡単な説明】
【００２１】
【図１】本技術の一実施形態に係る情報処理システムを示す図である。
【図２】携帯情報端末のハードウェア構成を示すブロック図である。
【図３】携帯情報端末の機能的構成を示すブロック図である。
【図４】携帯情報端末の動作を示すフローチャートである。
【図５】画像形成数（部数）を判断する動作を示すフローチャートである。
【図６】表示部に表示される画面の一例を示す図である。
【発明を実施するための形態】
【００２２】
以下、図面を参照しながら、本発明の実施形態を説明する。
【００２３】
（１．情報処理システムの概要）
図１は、本技術の一実施形態に係る情報処理システムを示す図である。
情報処理システム１は、情報処理装置１０と、１以上の画像形成装置２０とを有する。情報処理装置１０は、タッチパネルを有し、典型的にはスマートフォンやタブレット型パーソナルコンピューター等の携帯情報端末であり、以下「携帯情報端末１０」と称する。画像形成装置２０は、典型的にはＭＦＰ（Multifunction Peripheral）であり、以下「ＭＦＰ２０」と称する。
【００２４】
（２．携帯情報端末のハードウェア構成）
図２は、携帯情報端末のハードウェア構成を示すブロック図である。
携帯情報端末１０は、制御部１１と、制御部１１とバス１７を介して接続された表示部１２、通信制御部１３、位置検出部１４、操作部１５及び記憶部１６とを有する。
【００２５】
制御部１１は、ＣＰＵ（Central Processing Unit）等を含む。制御部１１は、ＲＡＭ（Random Access Memory）にロードされた情報処理プログラム等のプログラムを実行する。
【００２６】
記憶部１６は、ＲＯＭ（Read Only Memory）、ＲＡＭ等の半導体メモリとを含む。ＲＯＭは、制御部１１が実行するプログラムやデータなどを固定的に記憶する。ＲＡＭには、ＲＯＭに記憶されたプログラムがロードされる。
【００２７】
表示部１２は、ＬＣＤ（Liquid Crystal Display）又は有機ＥＬ（Electroluminescence）ディスプレイ等を含む。表示部１２は、制御部１１から受け取った情報に基づいて演算処理を行い、生成した画像信号を画面に表示する。
【００２８】
操作部１５は、表示部１２に重畳配置されたタッチセンサーである。操作部１５は、ユーザーからの操作（フリック操作等）を検出して制御部１１に出力する。
【００２９】
通信制御部１３は、ＮＩＣ（Network Interface Card）やモデムなどの通信インターフェースであり、イーサネット（登録商標）などの規格に基づいて、１以上のＭＦＰ２０との通信を行う。
【００３０】
位置検出部１４は、ＧＰＳ（Global Positioning System）センサー１４ａやジャイロセンサー１４ｂ等を含む。位置検出部１４は、携帯情報端末１０の位置や傾きを特定するための情報を取得して制御部１１に出力する。
【００３１】
（３．携帯情報端末の機能的構成）
図３は、携帯情報端末の機能的構成を示すブロック図である。
携帯情報端末１０の制御部１１は、情報処理プログラムを実行することにより、画像形成対象判断部１１０、端末位置／姿勢判断部１１１、ＭＦＰ位置判断部１１２、候補ＭＦＰ選択部１１３、操作判断部１１４及び画像形成指示部１１５として動作する。
【００３２】
画像形成対象判断部１１０は、ユーザーにより操作部１５を操作して指定された、画像形成対象であるドキュメントを判断する。
【００３３】
端末位置／姿勢判断部１１１は、記憶部１６の位置情報ログ１６１を参照し、ＧＰＳセンサー１４ａが検出したＧＰＳ情報に基づき、携帯情報端末１０（自端末）の位置を判断する。端末位置／姿勢判断部１１１は、さらに、位置情報ログ１６１を参照し、ジャイロセンサー１４ｂが検出したデータに基づき、携帯情報端末１０の方位及び姿勢を判断する。
【００３４】
ＭＦＰ位置判断部１１２は、携帯情報端末１０から特定距離範囲内に存在する複数のＭＦＰ２０それぞれの位置を判断する。
【００３５】
候補ＭＦＰ選択部１１３は、画像形成指示を送信する対象の候補となる１以上のＭＦＰ２０を、携帯情報端末１０の方位及び携帯情報端末１０からの距離に基づき選択する。
【００３６】
操作判断部１１４は、記憶部１６の操作情報ログ１６２を参照し、フリック操作の有無を判断する。操作判断部１１４は、フリック操作時の携帯情報端末１０の仰角に応じて異なるＭＦＰ２０を、画像形成指示を送信する対象として決定する。具体的には、操作判断部１１４は、フリック操作時の携帯情報端末１０の仰角が閾値以上のとき、近くにあるＭＦＰ２０を、画像形成指示を送信する対象として決定し、フリック操作時の携帯情報端末１０の仰角が閾値未満のとき、遠くにあるＭＦＰ２０を、画像形成指示を送信する対象として決定する。さらに、操作判断部１１４は、フリック操作の終了後、携帯情報端末１０がフリック操作時の姿勢と同じ姿勢（フリック操作時の仰角と同じ仰角）を保ちながら一定時間が経過するごとに画像形成数（部数）を増加させる。
【００３７】
画像形成指示部１１５は、画像形成指示を、上記決定されたＭＦＰ２０に対し、通信制御部１３を介して送信する。
【００３８】
（４．携帯情報端末の動作）
図４は、携帯情報端末の動作を示すフローチャートである。
ユーザーは、操作部１５を操作して、画像形成対象であるドキュメントを指定する。画像形成対象判断部１１０は、画像形成対象であるドキュメントを判断する（ステップＳ１００、ＹＥＳ）。画像形成対象判断部１１０は、画像形成対象が存在することを、端末位置／姿勢判断部１１１と、ＭＦＰ位置判断部１１２とに通知する。画像形成対象判断部１１０は、画像形成対象であるドキュメントを、画像形成指示部１１５に供給する。また、画像形成対象判断部１１０は、画像形成対象があることを表す画像（アイコン）（後で図６に示す。）を表示部１２に表示するための制御を行う。
【００３９】
一方、位置検出部１４は、ＧＰＳセンサー１４ａが検出したＧＰＳ情報及びジャイロセンサー１４ｂが検出したデータを、位置情報ログ１６１として記憶部１６に書き込む。端末位置／姿勢判断部１１１は、画像形成対象判断部１１０から通知を受けると、位置情報ログ１６１を参照し、ＧＰＳセンサー１４ａが検出したＧＰＳ情報に基づき、携帯情報端末１０（自端末）の位置を判断する（ステップＳ１０１）。
端末位置／姿勢判断部１１１は、さらに、位置情報ログ１６１を参照し、ジャイロセンサー１４ｂが検出したデータに基づき、携帯情報端末１０の方位を判断する。ここで「携帯情報端末１０の方位」とは、携帯情報端末１０の画面の縦方向（画面を目視するユーザーにとっての縦方向）の中心線とともに携帯情報端末１０の仰角を形成する水平面内の半直線が、携帯情報端末１０（具体的には、携帯情報端末１０内の特定の点、例えば、携帯情報端末１０の画面の上辺又は底辺の中心）を頂点として延びる方向、を意味する。端末位置／姿勢判断部１１１は、携帯情報端末１０の位置及び方位に関する情報を、候補ＭＦＰ選択部１１３に供給する。
端末位置／姿勢判断部１１１は、さらに、位置情報ログ１６１を参照し、ジャイロセンサー１４ｂが検出したデータに基づき、携帯情報端末１０の姿勢を判断する。ここで「携帯情報端末１０の姿勢」とは、具体的には、携帯情報端末１０の下端（画面を目視するユーザーにとっての下端）を頂点とした携帯情報端末１０の水平面に対する傾斜角（仰角）、を意味する。端末位置／姿勢判断部１１１は、算出した携帯情報端末１０の仰角に関する情報及びその仰角が達成された時間に関する情報を、操作判断部１１４に供給する。
【００４０】
一方、ＭＦＰ位置判断部１１２は、画像形成対象判断部１１０から通知を受けると、携帯情報端末１０から特定距離範囲内に存在する複数のＭＦＰ２０それぞれの位置を判断する（ステップＳ１０２）。一具体例として、ＭＦＰ位置判断部１１２は、複数のＭＦＰ２０それぞれからＧＰＳ情報を受信し、各ＧＰＳ情報に基づき複数のＭＦＰ２０それぞれの位置を特定する。別の具体例として、ＭＦＰ位置判断部１１２は、複数のＭＦＰ２０それぞれが発する電波の強度を測定する。一方、特定の位置に配置された複数のＷｉＦｉアクセスポイントも、複数のＭＦＰ２０それぞれが発する電波の強度を測定する。ＭＦＰ位置判断部１１２は、複数のＷｉＦｉアクセスポイントから、測定された電波強度を受信する。ＭＦＰ位置判断部１１２は、ＭＦＰ位置判断部１１２が測定した電波強度と、複数のＷｉＦｉアクセスポイントが測定した電波強度とに基づき、複数のＭＦＰ２０それぞれの位置を特定する。ＭＦＰ位置判断部１１２は、携帯情報端末１０を中心として特定距離範囲内に存在する複数のＭＦＰ２０それぞれの位置に関する情報を、候補ＭＦＰ選択部１１３に供給する。
【００４１】
候補ＭＦＰ選択部１１３は、携帯情報端末１０の位置及び方位に関する情報を端末位置／姿勢判断部１１１から取得する。候補ＭＦＰ選択部１１３は、また、携帯情報端末１０を中心として特定距離範囲内に存在する複数のＭＦＰ２０それぞれの位置に関する情報をＭＦＰ位置判断部１１２から取得する。候補ＭＦＰ選択部１１３は、携帯情報端末１０の方位と、携帯情報端末１０から各ＭＦＰ２０までの距離とに基づき、画像形成指示を送信する対象の候補となる１以上のＭＦＰ２０を選択する。具体的には、候補ＭＦＰ選択部１１３は、携帯情報端末１０（具体的には、携帯情報端末１０内の特定の点、例えば、携帯情報端末１０の画面の上辺又は底辺の中心）を始点とした携帯情報端末１０の方位を示す半直線を中心とした水平面上の特定の角度（例えば、半直線から±１０度（合計２０度））以内に存在するＭＦＰ２０の数を判断する（ステップＳ１０３）。候補ＭＦＰ選択部１１３は、ＭＦＰ２０の数が１台の場合（ステップＳ１０３、ＮＯ）、このＭＦＰ２０を表す画像（アイコン）を表示部１２に表示するための制御を行う（ステップＳ１０４）。一方、候補ＭＦＰ選択部１１３は、ＭＦＰ２０の数が２台以上の場合（ステップＳ１０３、ＹＥＳ）、携帯情報端末１０により近い２台のＭＦＰ２０を選択し、選択された２台のＭＦＰ２０を表すアイコン（後で図６に示す。）を、実際の位置関係（距離及び方向）を模した位置関係で表示部１２に表示するための制御を行う（ステップＳ１０５）。なお、候補ＭＦＰ選択部１１３は、ＭＦＰ２０の数が２台の場合、この２台のＭＦＰ２０を表すアイコンを、実際の位置関係（距離及び方向）を模した位置関係で表示部１２に表示するための制御を行うことになる（ステップＳ１０５）。候補ＭＦＰ選択部１１３は、ＭＦＰ２０を表すアイコンの画面上の座標情報を、操作判断部１１４に通知する。なお、ステップＳ１０５において、ＭＦＰ選択部１１３は、画像形成対象であるドキュメントを表すアイコン（後で図６に示す。）を表示部１２に表示するための制御を行ってもよい。この場合、候補ＭＦＰ選択部１１３は、ＭＦＰ２０及びドキュメントを表すアイコンの画面上の座標情報を、操作判断部１１４に通知する。
【００４２】
一方、操作部１５は、タッチパネルに対するユーザーからの操作を検出し、検出した操作に関する情報を操作情報ログ１６２として記憶部１６に書き込む。ここで「検出した操作に関する情報」とは、タッチパネルが静電容量式の場合、容量変化があった座標情報及び時間情報や、容量変化量等を含む。操作判断部１１４は、操作情報ログ１６２を参照し、フリック操作の有無を判断する（ステップＳ１０６）。操作判断部１１４は、フリック操作を検出すると（ステップＳ１０６、ＹＥＳ）、容量変化があった各座標情報（例えば、少なくとも、始点座標情報、終点座標情報）に基づき、フリック操作の方向を判断する。続いて、操作判断部１１４は、候補ＭＦＰ選択部１１３から通知されたＭＦＰ２０を表すアイコンの画面上の座標情報に基づき、画面上、フリック操作の方向に、ＭＦＰ２０を表すアイコンが複数個表示されているかどうかを判断する（ステップＳ１０７）。ここで、操作判断部１１４は、フリック操作の方向を中心とした画面上の特定の角度（例えば、フリック操作の方向から±１０度（合計２０度）、又はステップＳ１０３での判断に用いられた特定の角度と同一の角度）に、ＭＦＰ２０を表すアイコンが複数個表示されているかどうかを判断してもよい。また、操作判断部１１４は、フリック操作の始点座標情報が画像形成対象であるドキュメントを表すアイコン（後で図６に示す。）の座標である場合に限って、ステップＳ１０７の判断を行ってもよい。操作判断部１１４は、画面上、フリック操作の方向に、ＭＦＰ２０を表すアイコンが１個だけ表示されていると判断すると（ステップＳ１０７、ＮＯ）、このアイコン及び時間表すＭＦＰ２０を、画像形成指示を送信する対象として決定する（ステップＳ１０９）。一方、操作判断部１１４は、画面上、フリック操作の方向に、ＭＦＰ２０を表すアイコンが２個表示されていると判断すると（ステップＳ１０７、ＹＥＳ）、端末位置／姿勢判断部１１１から取得した仰角情報及び時間情報に基づき、フリック操作時の携帯情報端末１０の仰角を判断する（ステップＳ１０８）。操作判断部１１４は、フリック操作時の携帯情報端末１０の仰角が閾値以上の（より垂直に近い）とき（ステップＳ１０８、ＹＥＳ）、携帯情報端末１０のより近くにあるＭＦＰ２０を、画像形成指示を送信する対象として決定する（ステップＳ１１０）。操作判断部１１４は、フリック操作時の携帯情報端末１０の仰角が閾値未満の（より水平に近い）とき（ステップＳ１０８、ＮＯ）、携帯情報端末１０のより遠くにあるＭＦＰ２０を、画像形成指示を送信する対象として決定する（ステップＳ１１１）。あくまで一例にすぎないが、仰角の閾値は、＋２０度〜＋３０度程度とすればよい。続いて、操作判断部１１４は、画像形成数（部数）を判断する（ステップＳ１１２）。
【００４３】
図５は、画像形成数（部数）を判断する動作を示すフローチャートである。
操作判断部１１４は、端末位置／姿勢判断部１１１から取得した仰角に関する情報及び時間情報に基づき、フリック操作の終了後、携帯情報端末１０がフリック操作時の姿勢と同じ姿勢（フリック操作時の仰角と同じ仰角）を保ちながら特定時間（例えば、１秒）が経過したか否かを判断する（ステップＳ２０２）。操作判断部１１４は、携帯情報端末１０がフリック操作時の仰角と同じ仰角を保った時間が１秒未満であったと判断すると（ステップＳ２０２、ＮＯ）、部数をデフォルトの値（典型的には１部、ステップＳ２０１）と決定する。一方、操作判断部１１４は、携帯情報端末１０がフリック操作時の仰角と同じ仰角を保ったまま１秒が経過したと判断すると（ステップＳ２０２、ＹＥＳ）、携帯情報端末１０がフリック操作時の仰角と同じ仰角を保っている間、１秒経過後一定時間（例えば、０．３秒）が経過するごとに（ステップＳ２０３、ＹＥＳ）、１部ずつ部数を増加させ（ステップＳ２０４）、最終的な部数を決定する（ステップＳ２０３、ＮＯ）。例えば、操作判断部１１４は、１．６秒間（＝１秒＋０．３秒×２）携帯情報端末１０がフリック操作時の仰角と同じ仰角を保っていたと判断すると、部数＝３部と決定する。操作判断部１１４は、画像形成指示を送信する対象として決定（ステップＳ１０９〜Ｓ１１１）したＭＦＰ２０と、決定（ステップＳ２０２〜Ｓ２０４）した部数とを、画像形成指示部１１５に通知する。また、操作判断部１１４は、決定前（増加中）の部数及び決定した部数（後で図６に示す。）を表示部１２に表示するための制御を行う。
【００４４】
図６は、表示部に表示される画面の一例を示す図である。
表示部１２の画面には、画像形成対象であるドキュメントを表すアイコン１２０（ステップＳ１１０）が表示される。さらに、候補ＭＦＰ選択部１１３が決定したＭＦＰ２０（本図の例では２台）を表すアイコン１２１、１２２（ステップＳ１０５）が、実際の位置関係（距離及び方向）を模した位置関係で表示される。さらに、決定前（増加中）の部数又は操作判断部１１４が決定した部数を表す数値１２３（ステップＳ１１２）が表示される。
【００４５】
図４に戻り、画像形成指示部１１５は、画像形成対象判断部１１０から通知されたドキュメントを、操作判断部１１４から通知された部数だけ画像形成するための画像形成指示を生成する。画像形成指示部１１５は、生成した画像形成指示を、操作判断部１１４から通知されたＭＦＰ２０に対し、通信制御部１３を介して送信する（ステップＳ１１３）。ＭＦＰ２０は、受信した画像形成指示に基づき、画像形成処理を実行する。
【００４６】
（５．まとめ）
本実施形態によれば、候補ＭＦＰ選択部１１３は、携帯情報端末１０の方位と、携帯情報端末１０からＭＦＰ２０までの距離に基づき、画像形成指示を送信する対象の候補となるＭＦＰ２０を選択する（ステップＳ１０３）。
これにより、画像形成指示を送信する対象としてユーザーが選択する可能性の高いＭＦＰ２０のみが、画像形成指示を送信する対象の候補として選択される。言い換えれば、画像形成指示を送信する対象としてユーザーが選択する可能性の低いＭＦＰ２０（例えば、携帯情報端末１０を持つユーザーの背後等に存在するＭＦＰ２０）が、画像形成指示を送信する対象の候補から除外される。その結果、画面に表示されるアイコンの数が減少して画面がシンプルになり、結果的に、タッチパネル上での操作ミスが減少しうる。
【００４７】
本実施形態によれば、操作判断部１１４は、フリック操作時の携帯情報端末１０の仰角が閾値以上の（より垂直に近い）とき、近くにあるＭＦＰ２０を画像形成指示を送信する対象として決定し、フリック操作時の携帯情報端末１０の仰角が閾値未満の（より水平に近い）とき、遠くにあるＭＦＰ２０を画像形成指示を送信する対象として決定する（ステップＳ１０８、Ｓ１１０、Ｓ１１１）。
これにより、ユーザーはフリック操作時の携帯情報端末１０の仰角を変えることで意図するＭＦＰ２０を選択できるので、ユーザーにとっては直感的かつ容易にＭＦＰ２０を選択できる。
【００４８】
本実施形態によれば、操作判断部１１４は、フリック操作の終了後、携帯情報端末１０がフリック操作時の姿勢と同じ姿勢を保ちながら一定時間が経過するごとに画像形成数（部数）を増加させる（ステップＳ２０２〜Ｓ２０４）。
これにより、ユーザーが所望する部数をフリック操作の回数に基づき入力する技術（特許文献１）に比較して、とくに部数が大きい場合に、タッチパネル上での操作ミスが減少しうるとともに、ユーザーの手指が疲労するおそれが低下しうる上、直感的である。
【００４９】
（６．変形例）
（６−１．変形例１）
上記実施形態では、操作判断部１１４は、画面上、フリック操作の方向に、ＭＦＰ２０を表すアイコンが複数個表示されているかどうかを判断し（ステップＳ１０７）、その後、フリック操作時の携帯情報端末１０の仰角（ステップＳ１０８）に基づき、画像形成指示を送信する対象であるＭＦＰ２０を決定した（ステップＳ１１０、Ｓ１１１）。
【００５０】
これに代えて、操作判断部１１４は、画面上、フリック操作の方向に、ＭＦＰ２０を表すアイコンが複数個表示されているかどうかを判断することなく（ステップＳ１０７を省略）、フリック操作時の携帯情報端末１０の仰角（ステップＳ１０８）のみに基づき、画像形成指示を送信する対象であるＭＦＰ２０を決定（ステップＳ１１０、Ｓ１１１）してもよい。
【００５１】
これにより、画像形成指示を送信する対象であるＭＦＰ２０を選択するパラメータがフリック操作時の携帯情報端末１０の仰角のみとなる（言い換えれば、フリック操作の方向が、ＭＦＰ２０を選択するパラメータから除外される。）。その結果、ユーザーは、ＭＦＰ２０を選択するにあたり画面を目視する必要がなくなる上、仮に、実際のＭＦＰ２０の位置関係と画面上でのアイコンの位置関係とが多少異なる場合であっても、ＭＦＰ２０を正確に選択することができる。
【００５２】
（６−２．変形例２）
上記実施形態では、候補ＭＦＰ選択部１１３は、画像形成指示を送信する対象の候補となる２台のＭＦＰ２０を、携帯情報端末１０の方位及び携帯情報端末１０からの距離に基づき選択した（ステップＳ１０３でＹＥＳ、ステップＳ１０５）。
【００５３】
これに代えて、候補となるＭＦＰ２０を２台に狭めることなく（ステップＳ１０３を省略）、特定距離範囲内に存在するＭＦＰ２０を全部（３台以上）を表示部１２に表示してもよい。操作判断部１１４は、フリック操作時の携帯情報端末１０の仰角が閾値以上のとき（ステップＳ１０８、ＹＥＳ）、最も近くにあるＭＦＰ２０を、画像形成指示を送信する対象として決定（ステップＳ１１０）すればよい。操作判断部１１４は、フリック操作時の携帯情報端末１０の仰角が閾値未満のとき（ステップＳ１０８、ＮＯ）、２番目に近くにあるＭＦＰ２０を、画像形成指示を送信する対象として決定（ステップＳ１１１）すればよい。この場合、ステップＳ１０３で画像形成指示を送信する対象の候補として選択されたＭＦＰ２０のアイコンがステップＳ１０７での判断の対象となる。
【００５４】
これにより、携帯情報端末１０の近くにある（画像形成指示を送信する対象としてユーザーが選択する可能性の高い）２台のＭＦＰ２０のみが、実質的には、候補として取り扱われる。これにより、画面に３台以上のＭＦＰ２０を表すアイコンが表示されて画面が煩雑な場合でも、ユーザーが所望のＭＦＰ２０を容易に選択でき、結果的に、タッチパネル上での操作ミスが減少しうる。
【００５５】
（７．その他）
本技術は以下のような構成もとることができる。
（１）ユーザーからの操作を検出し、
前記操作時の情報処理装置の姿勢を判断し、
前記操作時の前記情報処理装置の姿勢に応じて異なる画像形成装置を、画像形成指示を送信する対象として決定する
情報処理方法。
（２）ユーザーからの操作を検出する操作部と、
前記操作時の情報処理装置の姿勢を判断する姿勢判断部と、
前記操作時の前記情報処理装置の姿勢に応じて異なる画像形成装置を、画像形成指示を送信する対象として決定する操作判断部
として情報処理装置を機能させる情報処理プログラム
を格納した非一過性の記録媒体（non-transitory computer readable medium）。
【符号の説明】
【００５６】
１０…携帯情報端末
２０…ＭＦＰ
１１０…画像形成対象判断部
１１１…端末位置／姿勢判断部
１１２…ＭＦＰ位置判断部
１１３…候補ＭＦＰ選択部
１１４…操作判断部
１１５…画像形成指示部
【図１】
0006436003.tif 000002
【図２】
0006436003.tif 000003
【図３】
0006436003.tif 000004
【図４】
0006436003.tif 000005
【図５】
0006436003.tif 000006
【図６】
0006436003.tif 000007